(57)【要約】【課題】天井廻し縁の波打ちを防いだ状態で、天井パネルと壁パネルとの間に形成される凹所に天井廻し縁を外観良く嵌入できると共に、天井廻し縁と凹所との間の隙間のシールを容易に行なうこと。【解決手段】天井パネル１と壁パネル３との間に形成される凹所６に挿入される結合片７を備え、結合片７は、ねじ具５を用いて天井パネル１の垂下片２と壁パネル３の起立片４とに共締めによりねじ固定されるねじ固定部８と、天井廻し縁１０が嵌合する天井廻し縁嵌合部９とで構成され、天井廻し縁１０は、天井廻し縁嵌合部９に嵌合される硬質の廻し縁本体１１と、該硬質の廻し縁本体１１の外面に突設されて該廻し縁本体１１と上記凹所６との隙間をシールするための軟質のヒレ片１２とが一体形成されている。【選択図】図１
2008291613.tif 000002
【特許請求の範囲】
【請求項１】
天井パネルの周縁端から垂下する垂下片と壁パネルの上端から起立する起立片とをねじ具でねじ固定すると共に、天井パネルと壁パネルとの間に形成される凹所に室内側から天井廻し縁を嵌入してなる天井パネルと壁パネルの接続構造であって、上記天井パネルと壁パネルとの間に形成される凹所に挿入される結合片を備え、該結合片は、上記ねじ具を用いて上記垂下片と起立片とに共締めによりねじ固定されるねじ固定部と、上記天井廻し縁が嵌合する天井廻し縁嵌合部とで構成されており、上記天井廻し縁は、上記天井廻し縁嵌合部に嵌合される硬質の廻し縁本体と、該硬質の廻し縁本体の外面に突設されて該廻し縁本体と上記凹所との隙間をシールするための軟質のヒレ片とが一体形成されていることを特徴とする天井パネルと壁パネルの接続構造。
【発明の詳細な説明】
【技術分野】
【０００１】
本発明は、天井パネルと壁パネルの接続構造に関し、詳しくは、天井パネルの垂下片と壁パネルの起立片とをねじ固定した状態で天井パネルと壁パネルとの間に形成される凹所に天井廻し縁を嵌入する構造に関するものである。
【背景技術】
【０００２】
従来から、浴室ユニットル−ムの天井パネル１と壁パネル３とを接続するにあたって、図４に示すように、天井パネル１の垂下片２と壁パネル３の起立片４とをねじ具５でねじ固定し、その後、天井パネル１と壁パネル３との間に形成される凹所６に室内側Ａから天井廻し縁１０’を打ち込む構造が広く知られている（例えば、特許文献１参照)。
【０００３】
ところで、従来では天井廻し縁１０’全体が軟質材料で形成されており、軟質の天井廻し縁１０’を狭い凹所６に打ち込むものであるから、施工者の熟練度によって天井廻し縁１０’の意匠面が波打ちして美観が損なわれるなど、仕上がり精度にバラツキが生じやすいという問題がある。
【０００４】
他の従来例として、例えば図５（ａ）（ｂ）に示すように、凹所６内部にねじ具５により断面コ字状をした結合片３１を固定し、天井廻し縁１０”を硬質材料で押出成形し、この押出品からなる天井廻し縁１０”から突出する上下の爪部３３を室内側Ａから結合片３１の被係合部３１に係合させるようにした構造が知られているが、このような従来構造では、ユニットルームのサイズごとに天井廻し縁１０”を構成する押出品の長さを異ならせる必要があるため、部材点数が多くなり、さらに防水性を確保するために結合片３１の上面両面にシール材３０を貼り付けているため、施工者の熟練度によってシール材３０の貼り付け方、施工の仕方にバラツキが生じやすく、防水性能が左右されるおそれがあった。
【特許文献１】実開平６−８６２４号公報
【発明の開示】
【発明が解決しようとする課題】
【０００５】
本発明は上記の従来の問題点に鑑みて発明したものであって、天井廻し縁の波打ちを防いだ状態で、天井パネルと壁パネルとの間に形成される凹所に天井廻し縁を外観良く嵌入できると共に、天井廻し縁と凹所との間の隙間のシールを容易に行なうことができる天井パネルと壁パネルの接続構造を提供することを課題とするものである。
【課題を解決するための手段】
【０００６】
前記課題を解決するために本発明は、天井パネル１の周縁端から垂下する垂下片２と壁パネル３の上端から起立する起立片４とをねじ具５でねじ固定すると共に、天井パネル１と壁パネル３との間に形成される凹所６に室内側Ａから天井廻し縁１０を嵌入してなる天井パネルと壁パネルの接続構造であって、上記天井パネル１と壁パネル３との間に形成される凹所６に挿入される結合片７を備え、該結合片７は、上記ねじ具５を用いて上記垂下片２と起立片４とに共締めによりねじ固定されるねじ固定部８と、上記天井廻し縁１０が嵌合する天井廻し縁嵌合部９とで構成されており、上記天井廻し縁１０は、上記天井廻し縁嵌合部９に嵌合される硬質の廻し縁本体１１と、該硬質の廻し縁本体１１の外面に突設されて該廻し縁本体１１と上記凹所６との隙間をシールするための軟質のヒレ片１２とが一体形成されていることを特徴としている。
【０００７】
このような構成とすることで、硬質の廻し縁本体１１を備える天井廻し縁１０を意匠面が波うちしない状態で凹所６内にねじ固定された結合片７の天井廻し縁嵌合部９に対して嵌合させることができるので、天井廻し縁１０の波打ちを防いだ状態で軟質のヒレ片１２を利用して廻し縁本体１１と凹所６との間の隙間を容易にシールできるようになる。
【発明の効果】
【０００８】
本発明は、天井廻し縁の波打ちを防いだ状態で、天井パネルと壁パネルとの間に形成される凹所に天井廻し縁を外観良く嵌入できると共に、天井廻し縁と凹所との間の隙間のシールを容易に行なうことができるので、従来のような作業者の熟練度の差異に起因する仕上がり精度のバラツキをなくすことができ、そのうえ天井パネルと壁パネル間の防水性能も充分に確保でき、施工性が大幅に向上するものである。
【発明を実施するための最良の形態】
【０００９】
以下、本発明を添付図面に示す実施形態に基いて説明する。
【００１０】
図１は浴室ユニットルームの天井パネル１と壁パネル３とを接続した状態の説明図であり、図２は天井廻し縁１０を結合片７に対して嵌合させる過程の説明図であり、図３は結合片７の説明図である。
【００１１】
図３（ｂ）〜(ｃ)に示すように、天井パネル１の周縁端から下方へ折曲した垂下片２が形成されており、一方、壁パネル３の上端から上方へ突出した起立片４が形成されており、ねじ具５にて該起立片４と垂下片２と後述する結合片７とが共締めによりねじ固定されるようになっている。なお図３中（ｃ）中の１３ａは天井断熱材、１３ｂは壁断熱材である。
【００１２】
上記結合片７はピース片形状をしており、天井パネル１と壁パネル３との間に形成される凹所６の複数個所に挿入される。この結合片７の数及び挿入位置は適宜設計変更自在である。
【００１３】
上記結合片７は、図３（ａ）に示すように、ねじ具５が挿入されるねじ孔４０が開口したねじ固定部８と、天井廻し縁１０が嵌合する天井廻し縁嵌合部９とが、一体に構成されている。本例では、ねじ固定部８の両端部に一対の天井廻し縁嵌合部９が連設されている。各天井廻し縁嵌合部９は同じ形状をしている。各天井廻し縁嵌合部９はその上下両面９ａ，９ｂが上下対称形状をしており、上面９ａの先端から後端に向けて、上り斜面１４と上係止縁１５と上向きリブ１６とがこの順に形成され、一方、下面９ｂの先端から後端に向けて、下り斜面１７と下係止縁１８と下向きリブ１９とがこの順に形成されていると共に、後端面から突設させた位置決め突起９ｃが壁パネル３の起立片４に設けた位置決め穴４ａに挿入可能となっている。
【００１４】
上記凹所６の略全長に亘って天井廻し縁１０が嵌入される。天井廻し縁１０は上記結合片７及びねじ具５を覆い隠すようにして結合片７の天井廻し縁嵌合部９に嵌合されるものであり、その長さ寸法及び数は適宜設計変更自在である。本例では、図２に示すように、天井廻し縁１０は硬質材料からなる硬質の廻し縁本体１１と、該硬質の廻し縁本体１１の外面に突設された軟質材料からなる軟質のヒレ片１２とが、例えば二色成形により一体に形成されている。
【００１５】
ここで、硬質の廻し縁本体１１は、横方向に開口した断面略コ字状に形成され、開口部の上下両端に上下一対の嵌合爪２０，２１が突設されている。上下の嵌合爪２０，２１は上記結合片７の天井廻し縁嵌合部９の上下の斜面１４，１７に沿って広がる方向に変形しながら、各斜面１４，１７の後端に段落ちした上下の係止縁１５，１８にそれぞれ弾入係止可能とされる。
【００１６】
軟質のヒレ片１２は、廻し縁本体１１と凹所６との隙間をシールして壁パネル３の背面側に結露水が漏れるのを防止するものであり、本例では、凹所６の上下内面６ａ，６ｂにそれぞれ弾接する上下複数の内ヒレ片１２ａ，１２ｂと、廻し縁本体１１の室内側Ａの下端部１１ａから突出して壁パネル３の表面に弾接する外ヒレ片１２ｃとからなる。
【００１７】
次に、浴室ユニットルームの天井パネル１と壁パネル３とを接続するにあたっては、図３(ｃ)(ｄ)のように、天井パネル１の垂下片２と壁パネル３の起立片４とを前後に重ねた状態でその内側に結合片７を配し、室内側Ａからねじ具５を結合片７のねじ固定部８を通して起立片４のねじ孔４ｂ、垂下片２のねじ孔２ａ（図１）に順にねじ込み、３者２，４，８を共締めにより締結する。その後、図２（ａ）の矢印で示す室内側Ａから天井廻し縁１０の硬質の廻し縁本体１１を工具で打ち込むことによって、硬質の廻し縁本体１１に設けた上嵌合爪２０と下嵌合爪２１とが結合片７の天井廻し縁嵌合部９の上下の斜面１４，１７を越えて上下の係止縁１５，１８にそれぞれ弾入係止することができ、図１のように廻し縁本体１１が天井廻し縁嵌合部９に対して固定されると共に、廻し縁本体１１の外面に突設した軟質のヒレ片１２が廻し縁本体１１と凹所６との隙間を水密的にシールした状態となる。
【００１８】
しかして、上記結合片７の天井廻し縁嵌合部９に対して硬質の廻し縁本体１１を嵌合させるようにしたので、硬質の廻し縁本体１１が波うちしない状態で結合片７に嵌合させることができるので、天井廻し縁１０の意匠面の美観が高まり、さらにこの状態で硬質の廻し縁本体１１の外面から突出している軟質のヒレ片１２が廻し縁本体１１と凹所６との間の隙間を水密的にシールした状態となる。また本例では、天井廻し縁１０によって結合片７及びねじ具５が覆い隠されると共に、廻し縁本体１１の外ヒレ片１２ｃが壁パネル３の表面に弾接することで、美観性とシール性がより一層高められるようになり、結果、従来のような作業者の熟練度の差異に起因する仕上がり精度のバラツキをなくすことができると共に天井パネル１と壁パネル３間の防水性能も充分に確保でき、施工性が大幅に向上するものである。
【００１９】
また本例では、結合片７の天井廻し縁嵌合部９の後端面から突設した位置決め突起９ｃを壁パネル３の起立片４に設けた位置決め穴４ａに挿入し、且つ、結合片７の上下のリブ１６，１９を凹所６の上下内面６ａ，６ｂにそれぞれ当てることで、結合片７をガタツキのない状態で凹所６内部に位置決め保持できるので、結合片７に対する天井廻し縁１０の安定した嵌合性能を長期に亘って持続できる利点もある。
【００２０】
本発明に係る天井パネルと壁パネルの接続構造は、浴室ユニットルーム以外に各種の天井パネル１と壁パネル３との接続分野に広範囲に適用可能である。
【図面の簡単な説明】
【００２１】
【図１】本発明の一実施形態の天井廻し縁を結合片の天井廻し縁嵌合部に嵌合させた状態を示す側面図である。
【図２】（ａ）は同上の天井廻し縁を結合片に嵌合させる過程の説明図であり、（ｂ）は硬質の廻し縁本体の斜視図である。
【図３】（ａ）は同上の結合片の斜視図であり、（ｂ）〜(ｄ)は結合片の施工状態の説明図である。
【図４】従来例の説明図である。
【図５】（ａ）（ｂ）は他の従来例の説明図である。
【符号の説明】
【００２２】
１  天井パネル
２  垂下片
３  壁パネル
４  起立片
５  ねじ具
６  凹所
７  結合片
８  ねじ固定部
９  天井廻し縁嵌合部
１０  天井廻し縁
１１  硬質の廻し縁本体
１２  軟質のヒレ片
Ａ  室内側
【図１】
2008291613.tif 000003
【図２】
2008291613.tif 000004
【図３】
2008291613.tif 000005
【図４】
2008291613.tif 000006
【図５】
2008291613.tif 000007